(57)【特許請求の範囲】
【請求項１】
少なくとも周面を一方向に向けて並設される複数の回転リールを有する回胴装置であって、
個々の前記回転リールに対応して設けられ、前記並設される方向に向けられるシャフト上に前記回転リールの中心部が配置され、前記シャフトを直接回転させるリール駆動手段と、
個々の前記回転リールに対応して前記シャフト上に定位置と所定位置との間で移動自在に設けられ、前記シャフトの回転力を前記回転リールに伝達する回転力伝達手段と、
個々の前記回転リールに対応して設けられ、前記回転力伝達手段を前記シャフトに沿って前記定位置と前記所定位置との間で移動させるリール移動手段と、
前記回転リールが前記シャフト上の前記定位置にあるときには、前記回転リールの間であって、前記回転リールの前記周面によって覆われる位置に設けられた演出表示手段とを備え、
前記回転力伝達手段は、略円盤状を呈し、前記回転リールの中心部に取り付けられるフランジと、前記シャフトを挿通させる挿通孔とを有し、
前記リール移動手段は、基板の両側に側片が並設され、ユニット板に取り付けられた前記リール駆動手段の近傍に前記基板が取り付けられたブラケットと、前記ブラケットの一方の前記側片に取り付けられ、駆動軸を有する移動用モータと、略円盤状を呈し、略中心部が前記駆動軸に取り付けられているとともに、周縁近傍にカム突起が取り付けられたカム部材と、基板の両側にクランプ片が並設され、一方の前記クランプ片の長手方向に形成された係合孔に前記カム突起が移動可能に係合するとともに、前記ブラケットの前記側片間に設けられた枢軸に回動自在に取り付けられ、前記移動用モータの駆動により回動して前記回転力伝達手段を移動させるクランクプレートとを有し、
いずれかの前記リール移動手段により前記回転力伝達手段を介して前記回転リールが前記シャフトに沿って前記所定位置に移動されると、前記演出表示手段が前記回転リールの間に出現して演出表示が行われる
ことを特徴とする回胴装置。
【請求項２】
前記回転力伝達手段は、前記定位置から前記所定位置への移動に伴い圧縮する弾性手段を有し、
前記移動用モータが駆動し、前記弾性手段による付勢力に抗して前記回転力伝達手段が前記所定位置まで押し出されることにより、前記回転リールが前記シャフトに沿って前記所定位置に移動されると、前記演出表示手段が前記回転リールの間に出現して演出表示が行われ、
前記移動用モータが逆駆動し、前記回転力伝達手段が前記弾性手段による付勢力により前記定位置に戻されることにより、前記回転リールが前記シャフトに沿って前記定位置に移動されると、前記演出表示手段が前記回転リールの前記周面によって覆われる
ことを特徴とする請求項１に記載の回胴装置。
【請求項３】
請求項１又は２のいずれかに記載の回胴装置を搭載していることを特徴とする遊技機。
【発明の詳細な説明】
【技術分野】
【０００１】
本発明は、複数の回転リールを有する回胴装置及び遊技機に係り、特に、それらの回転リールを個別に回転軸の軸方向に沿って移動させるとともに、その移動によって演出表示部が現れるようにし、その演出表示部によってたとえば文字や画像等の情報を表示するような演出に適した回胴装置及び遊技機に関する。
【背景技術】
【０００２】
遊技機の一種として回胴式遊技機である、たとえばスロットマシンがある。スロットマシンは、複数の図柄が付された回転体としての複数のメインリールを備え、遊技者がメダルを投入するか、あるいは既にクレジットしてあるメダルをベットボタンの操作でベットしてスタートレバーを操作すると各メインリールが回転を開始する。なお、現状のスロットマシンでは、各メインリールが回転を開始した後、ストップボタンを操作するか、あるいは所定時間が経過すると、各メインリールの回転が停止されるものが多い。
【０００３】
また、スロットマシンでは、メダル（又はコインとも呼ばれている）の投入、あるいは既にクレジットしてあるメダルのベットボタンの操作によるベットとスタートレバーの操作を条件として抽選を行い、その抽選結果が当選であり、かつ予め設定された有効ライン上に遊技者が当選した図柄を停止させることを条件として、その図柄に応じた所定枚数のメダルが払い出されたり、遊技者に有利な特別遊技状態（ボーナスゲーム、レギュラーボーナス等）が発生する。
【０００４】
また、このようなスロットマシンは、前面側に開口を有する箱形の筐体と、この筐体の前面側に開閉自在に取り付けられた前扉とを備え、筐体の内部に遊技構成装置が配設されて、前扉が開口を覆う状態で遊技に供されるようになっている。また、その筐体の内部には、スロットマシンの各部に電力を供給するための電源装置が設けられており、この電源装置から供給される電力によりスロットマシンが作動するようになっている。
【０００５】
また、このようなスロットマシンでは、ゲームの演出に係る制御を主に行うサブ制御基板と、回胴装置のリールの回転駆動を制御する回胴装置基板と、ベットボタン、スタートレバー及びストップボタンによる操作信号を転送する中央表示基板と、各駆動部等への電力供給を制御する電源装置基板とを備え、これらの基板は主制御基板により集中制御されている。
【０００６】
また、主制御基板には、システムプログラムやスロットマシンゲーム用のプログラム等が書き込まれているＲＯＭ（Ｒｅａｄ  Ｏｎｌｙ  Ｍｅｍｏｒｙ）、このＲＯＭから所定のプログラムを読み出して所定の制御を行うＣＰＵ（Ｃｅｎｔｒａｌ  Ｐｒｏｃｅｓｓｉｎｇ  Ｕｎｉｔ）、このＣＰＵによる演算結果等を保持するＲＡＭ（Ｒａｎｄｏｍ  Ａｃｃｅｓｓ  Ｍｅｍｏｒｙ）等の電子素子等が搭載されており、ゲームの進行に合わせそのＲＯＭから読み出したプログラムに基づき、上述した各種基板への制御が行われるようになっている。
【０００７】
ところで、このようなスロットマシンにおいては、たとえば遊技者に有利な特別遊技状態（ボーナスゲーム、レギュラーボーナス等）が発生したり、ゲームの期待度等の演出モードに移行したりすると、表示ランプの点灯又は点滅、スピーカによる特定の効果音の出力、あるいは液晶画面での画像表示等によって、遊技者に対する様々な演出が行われるようになっている。
【０００８】
ところが、このような様々な演出においては、表示ランプの点灯又は点滅、スピーカによる特定の効果音の出力、あるいは液晶画面での画像表示等によっての演出パターンが固定されているため、ゲームの進行が単調となるばかりか、遊技者へ与える期待感が不足する場合がある。
【０００９】
このような不具合を解消するようにしたものとして、特許文献１では、役抽選の抽選結果を遊技者に告知するための告知手段（ＣＰＵ，ＲＯＭ，図柄表示移動制御回路など）を設け、役抽選でボーナス役が成立した場合に、この告知手段によって、所定の確率で、図柄表示手段（リールユニット）を前後方向、上下方向、及び／又は左右方向に移動させるようにしたスロットマシンを提案している。
【００１０】
【特許文献１】特開２００７−１１７４４２号公報
【発明の開示】
【発明が解決しようとする課題】
【００１１】
上述した特許文献１に示されるスロットマシンでは、役抽選の抽選結果を遊技者に告知するために、図柄表示手段であるリールユニットを、前後方向、上下方向、及び／又は左右方向に移動させるようにしているため、今までにない意外性があることから、ゲーム性を高めることができるものと考えられる。
【００１２】
ところで、このようなリールユニットをたとえば上下方向、及び／又は左右方向に移動させたときに、その移動によって演出表示部が現れるようにし、その演出表示部によって文字や画像等の情報を表示するような演出を行わせるようにすれば、リールユニットの移動による意外性に加え、新たな演出方法の実現により、遊技者への興味やゲーム性をさらに高めることが可能となるものと考えられる。
【００１３】
ところが、このような演出方法を実現しようとしたとき、リールユニットをたとえば上下方向、及び／又は左右方向に移動させるようにすると、比較的重量のあるものを移動させなければならないことから、素早い動きに対応できず、リールユニットの移動による意外性が半減してしまうばかりか、新たな演出方法も生かされないおそれがある。
【００１４】
すなわち、リールユニットを移動させるには、各メインリールの回転開始前、又は回転停止後の遊技待機中に限られるという制約があり、その遊技待機中にリールユニットが移動してから演出表示部が現れるまで間、遊技者は次の遊技に進むことができず、次の遊技の進行が長時間待たされてしまうためである。
【００１５】
このようなことから、リールユニットの移動による意外性に加え、新たな演出方法の実現により、遊技者への興味やゲーム性をさらに高めることが可能となるような装置の開発が望まれていた。
【００１６】
本発明は、このような状況に鑑みてなされたものであり、複数の回転リールを個別に移動させてたとえば文字や画像等の情報を表示する演出表示部が現れるようにすることで、回転リールの移動による意外性に加え、新たな演出方法の実現により、遊技者への興味やゲーム性をさらに高めることができる回胴装置及び遊技機を提供することを目的とする。
【課題を解決するための手段】
【００１７】
本発明の回胴装置は、少なくとも周面を一方向に向けて並設される複数の回転リールを有する回胴装置であって、個々の前記回転リールに対応して設けられ、前記並設される方向に向けられるシャフト上に前記回転リールの中心部が配置され、前記シャフトを直接回転させるリール駆動手段と、個々の前記回転リールに対応して前記シャフト上に定位置と所定位置との間で移動自在に設けられ、前記シャフトの回転力を前記回転リールに伝達する回転力伝達手段と、個々の前記回転リールに対応して設けられ、前記回転力伝達手段を前記シャフトに沿って前記定位置と前記所定位置との間で移動させるリール移動手段と、前記回転リールが前記シャフト上の前記定位置にあるときには、前記回転リールの間であって、前記回転リールの前記周面によって覆われる位置に設けられた演出表示手段とを備え、前記回転力伝達手段は、略円盤状を呈し、前記回転リールの中心部に取り付けられるフランジと、前記シャフトを挿通させる挿通孔とを有し、前記リール移動手段は、基板の両側に側片が並設され、ユニット板に取り付けられた前記リール駆動手段の近傍に前記基板が取り付けられたブラケットと、前記ブラケットの一方の前記側片に取り付けられ、駆動軸を有する移動用モータと、略円盤状を呈し、略中心部が前記駆動軸に取り付けられているとともに、周縁近傍にカム突起が取り付けられたカム部材と、基板の両側にクランプ片が並設され、一方の前記クランプ片の長手方向に形成された係合孔に前記カム突起が移動可能に係合するとともに、前記ブラケットの前記側片間に設けられた枢軸に回動自在に取り付けられ、前記移動用モータの駆動により回動して前記回転力伝達手段を移動させるクランクプレートとを有し、いずれかの前記リール移動手段により前記回転力伝達手段を介して前記回転リールが前記シャフトに沿って前記所定位置に移動されると、前記演出表示手段が前記回転リールの間に出現して演出表示が行われることを特徴とする。
【００１９】
また、前記回転力伝達手段は、前記定位置から前記所定位置への移動に伴い圧縮する弾性手段を有し、前記移動用モータが駆動し、前記弾性手段による付勢力に抗して前記回転力伝達手段が前記所定位置まで押し出されることにより、前記回転リールが前記シャフトに沿って前記所定位置に移動されると、前記演出表示手段が前記回転リールの間に出現して演出表示が行われ、前記移動用モータが逆駆動し、前記回転力伝達手段が前記弾性手段による付勢力により前記定位置に戻されることにより、前記回転リールが前記シャフトに沿って前記定位置に移動されると、前記演出表示手段が前記回転リールの前記周面によって覆われるようにしてもよい。
【００２０】
本発明の遊技機は、請求項１又は２のいずれかに記載の回胴装置を搭載していることを特徴とする。
【００２１】
本発明の回胴装置及び遊技機では、複数の回転リールが並設される方向に向けられるそれぞれのリール駆動手段のシャフト上にそれぞれの回転リールの中心部を配置し、いずれかのリール移動手段により回転力伝達手段を介して回転リールをシャフトに沿って所定位置に移動させることで、個々の回転リールを個別に移動させることができ、さらに個々の回転リールの移動に伴い、回転リールがシャフト上の定位置にあるときには、回転リールの間であって、回転リールの周面によって覆われる位置に設けられた演出表示手段が回転リールの間に出現して演出表示が行われる。
【発明の効果】
【００２２】
本発明の回胴装置及び遊技機によれば、個々の回転リールをリール駆動手段のシャフトに沿って個別に移動させることができるようにし、さらに個々の回転リールの移動に伴い、回転リールがシャフト上の定位置にあるときには、回転リールの間であって、回転リールの周面によって覆われる位置に設けられた演出表示手段が出現して演出表示が行われるようにしたので、回転リールの移動による意外性に加え、新たな演出方法の実現により、遊技者への興味やゲーム性をさらに高めることができる。
【発明を実施するための最良の形態】
【００２３】
本実施形態では、複数の回転リールが並設される方向に向けられるそれぞれのリール駆動手段のシャフト上にそれぞれの回転リールの中心部を配置し、いずれかのリール移動手段による移動力によっていずれかの回転リールをシャフトに沿って移動させることで、個々の回転リールを個別に移動させるようにし、さらに個々の回転リールの移動に伴い、回転リールによって覆われる位置に設けられる演出表示手段が出現して演出表示が行われるようにした。
【００２４】
このように、個々の回転リールの移動はシャフトに沿って円滑に行われることから、従来の複数の回転リールを組み込んだリールユニットの移動に比べ、素早い動きに対応させることができ、たとえば遊技待機中に回転リールが移動してから演出表示手段が現れるまでの時間を大幅に短縮することができることから、遊技者は次の遊技に即座に進むことができ、回転リールの移動による意外性に加え、新たな演出方法の実現により、遊技者への興味やゲーム性をさらに高めることが可能である。
【００２５】
また、個々の回転リールを個別に移動させるようにすることで、従来の比較的重量のあるリールユニットの移動機構に比べて、遙かに軽量な回転リールを移動させる機構であればよいことから、移動機構の構成を簡単なものとすることができる。
【実施例】
【００２６】
以下、本発明の実施例の詳細について説明する。図１は本発明の回胴装置が適用される回胴式遊技装置の一例を示す正面図、図２は図１の回胴式遊技装置の内部を示す正面図である。
【００２７】
これらの図に示すように、回胴式遊技装置であるスロットマシン１は、遊技者側に面する、いわゆるフロントマスクを構成する前扉３が略矩形状の箱体である筐体２の開口側に対し、蝶番機構２ａにより左側端部側を回動支点として開閉可能に取り付けられている。前扉３は、上部パネル部３Ａ、中部パネル部３Ｂ、操作卓部３Ｃ及び下部パネル部３Ｄに概ね分けられ、これらは化粧板として視覚効果を高めてデザインされた硬質プラスチックにより一体的に形成されている。
【００２８】
筐体２の内部には、スロットマシン１全体の動作を統括制御する主制御基板３００と、３個の円筒状のメインリール７０１，７０２，７０３を備える回胴装置７００と、スロットマシン１の各部に電力を供給するための電源装置５３０と、ゲームの入賞に応じてメダルの払い出しを行うメダル排出スリット６０１を有するホッパ装置６００と、ホッパ装置６００から溢れたメダルを収納する補助貯留部５４０等とが設けられている。
【００２９】
ここで、回胴装置７００は、主制御基板３００からの回転駆動開始制御信号や回転駆動停止制御信号等を受ける後述の回胴装置基板４２０によって各メインリール７０１，７０２，７０３の回転や回転停止が制御されるようになっている。また、回胴装置７００は、筐体２の内部に取り付けられている台座５２４に対し引き出し及び押し戻し自在に載置されている。また、各メインリール７０１，７０２，７０３は、それぞれの周面を一方向（遊技者側）に向けて並設されている。
【００３０】
また、左のメインリール７０１側に設けられている目隠し部材７２５ａと、右のメインリール７０３側に設けられている目隠し部材７２５ｂとにより、左右のメインリール７０１，７０３と中央のメインリール７０２との間の隙間が目隠しされている。また、これらの目隠し部材７２５ａ，７２５ａには、左右のメインリール７０１，７０３が移動したときに現れる後述の文字や画像等の情報を表示する演出表示部７２６ａ，７２６ｂが設けられている。
【００３１】
そして、各種演出が行われるとき、回胴装置７００のメインリール７０１，７０２，７０３のうち、左右のメインリール７０１，７０３の一方又は両方が中央のメインリール７０２に対し横方向に往復動するとともに、目隠し部材７２５ａ，７２５ａに設けられている演出表示部７２６ａ，７２６ｂが現れて文字や画像等によるたとえばゲームの期待度等の表示による演出が行われるようになっているが、その詳細については後述する。
【００３２】
また、筐体２の内部に設けられている電源装置５３０のたとえば側面には、いわゆる配電盤に相当する後述の電源装置制御基板４３０が設けられている。この電源装置制御基板４３０には、電源装置５３０で発生される各種電源電圧を回胴装置７００やホッパ装置６００等の各所に配電する配電回路が形成されており、かかる配電回路からスロットマシン１の動作に必要なシステム電源を供給する。
【００３３】
また、前扉３は、筐体２の開口を閉塞する位置で、操作卓部３Ｃに設けられている鍵穴４を有する図示しない施錠装置によりロックされ、ホールスタッフ等が主制御基板３００上の各電子素子等の状態の確認を含むメンテナンス作業や設定値変更等に伴う出玉管理作業等を行う場合、前扉３の鍵穴４に専用鍵を差し込んでそのロックを解除すると、前扉３が開放されるようになっている。
【００３４】
前扉３の上部パネル部３Ａには、遊技に伴った演出を行う演出表示部１００が取り付けられている。演出表示部１００には、たとえばゲームの進行に応じた動画像等を表示する表示部１０１と、この表示部１０１を覆う表示パネル１０２とが設けられている。この表示パネル１０２は、中央部に表示部１０１を視認可能とする略長方形の透明窓１０３を有し、その透明窓１０３の周囲が映像を表示可能な液晶パネルで構成されている。また、演出表示部１００には、意匠的に遊技者の視覚に訴える形状及び色彩、模様、絵柄等を施してデザイン設計された複数の演出用ランプ１０４〜１０８と、演出用の効果音を発するスピーカ１０９ａ，１１０ａを有する放音部１０９，１１０とが設けられている。
【００３５】
そして、前扉３の上部パネル部３Ａの背面に設けられているサブ制御基板４００に、主制御基板３００から演出開始を示唆する制御信号が供給されると、そのサブ制御基板４００により表示部１０１による動画像等の表示と、演出用ランプ１０４〜１０８による点滅又は点灯によっての演出と、放音部１０９，１１０からの効果音による演出とが行われるようになっている。
【００３６】
前扉３の中部パネル部３Ｂには、回胴装置７００の各メインリール７０１，７０２，７０３の確認を行える確認窓２０１を有するパネル２０２を備えたメイン演出部２００が設けられている。また、メイン演出部２００の下方には、貯留枚数表示器２１０、遊技進行表示器２２０、払出枚数表示器２３０が設けられている。これらの貯留枚数表示器２１０、遊技進行表示器２２０、払出枚数表示器２３０は、７セグメントＬＥＤを有し、０〜９までの１０通りの表示が可能となっている。
【００３７】
貯留枚数表示器２１０には、遊技停止中にメダルをクレジット（最大５０枚まで）する際、後述のメダル投入部６から連続投入されたメダルの枚数が最大５０までの数字で表示されるようになっている。
【００３８】
遊技進行表示器２２０には、遊技者に有利な特別遊技状態（ビックボーナス、レギュラーボーナス等）が発生した際、その特別遊技状態の残りゲーム数等が数字で表示されるようになっている。
【００３９】
払出枚数表示器２３０には、回胴装置７００の各メインリール７０１，７０２，７０３の停止に伴い、その有効ライン上に揃った図柄に応じてのメダルの払い出しの枚数が数字で表示されるようになっている。また、払出枚数表示器２３０は、スロットマシン１でのたとえば出玉率（メダルの払出率）を決定する際の設定値を表示するものとして兼用されている。
【００４０】
また、中部パネル部３Ｂの両側には、高輝度発光ダイオードを内蔵したサイドランプ５ａ，５ｂが配置されている。これらのサイドランプ５ａ，５ｂは、リーチや大当たり等の際に点灯又は点滅して遊技者の視覚に訴える演出を行うものである。
【００４１】
前扉３の操作卓部３Ｃには、ゲームに使用するメダルを投入するための投入口を有するメダル投入部６、メダルをベットするベットボタン７、ゲームの操作を指示する操作ノブ８ａを有するスタートレバー８、演出表示部１００のメインリール７０１，７０２，７０３をストップさせるストップボタン９ａ，９ｂ，９ｃ等が設けられている。
【００４２】
ここで、現状のスロットマシン１では、１ゲームに必要とされるメダルがたとえば３枚となっているため、メダル投入部６から３枚を超えてメダルが連続投入されると、最大５０枚までクレジットされるとともに、上述した貯留枚数表示器２１０にそのクレジットされているメダルの枚数が表示される。
【００４３】
ベットボタン７は、スロットマシン１のゲームに賭けるメダルの枚数を提示するための押圧式の操作スイッチであり、ＭＡＸベットボタンと呼ばれている。すなわち、メダルがクレジットされているとき、ゲーム開始時にベットボタン７を操作すると、そのクレジットされているメダルのうち３枚がベットされるようになっている。このとき、上述した貯留枚数表示器２１０に表示される枚数がベットボタン７の操作に応じて３枚ずつ減算されて表示される。
【００４４】
スタートレバー８は、演出表示部１００の後述のメインリール７０１，７０２，７０３を一斉に回転させる指示をするためのレバースイッチであり、先端に設けられている球形の操作ノブ８ａを上下左右のいずれかの方向に傾倒操作するとオン作動し、その操作ノブ８ａから手が離されるとスプリングの付勢力によって自動的に元の位置に戻ってオフするように構成されている。
【００４５】
ストップボタン９ａ，９ｂ，９ｃは、回胴装置７００の各メインリール７０１，７０２，７０３の回転停止を個別に指示するための押圧式スイッチであり、各メインリール７０１，７０２，７０３の配列に対応してそれぞれ並設されている。
【００４６】
また、前扉３の操作卓部３Ｃの背面には、操作卓部３Ｃのベットボタン７、スタートレバー８、ストップボタン９ａ，９ｂ，９ｃ等の各種メインスイッチが電気的に接続された中央表示制御基板４１０が設けられており、これらのスイッチの出力信号が中央表示制御基板４１０から後述の主制御基板３００に転送されるようになっている。
【００４７】
また、中央表示制御基板４１０には、開閉自在なカバー（図示省略）によって覆われている設定ボタン４１１が設けられている。この設定ボタン４１１は、スロットマシン１の出玉率（メダルの払出率）を決定する際の設定値を変更する場合に操作されるものであって、設定ボタン４１１の操作に応じて払出枚数表示器２３０に設定値が後述のように色別で表示される。
【００４８】
前扉３の下部パネル部３Ｄには、スロットマシン１のモデルタイプ等を遊技者へ認識させるため、たとえば登場キャラクターの絵等を表示するパネル１０が設けられている。
下部パネル部３Ｄの下方には、入賞時等においてメダルを排出するメダル排出口１２を有する受皿ユニット１１と、スピーカ１３ａ，１３ｂを内蔵しゲームの進行に応じて演出効果音を発生させる演出効果音部１３，１４と、灰皿１５等とがそれぞれ配設されている。
【００４９】
また、前扉３の下部パネル部３Ｄの背面には、メダル投入部６より投入される投入物を正規のメダルか異物かを判別して振り分けるセレクト機構５００と、このセレクト機構５００で振り分けられたメダルを筐体２内に設けられているホッパ装置６００へ案内するホッパガイド部材５０１と、セレクト機構５００で振り分けられた異物をメダル排出口１２へ案内するガイド部材５０２と、ホッパ装置６００のメダル排出スリット６０１から排出されたメダルを受皿ユニット１１のメダル排出口１２側にガイドする払出ガイド部材５０３とが設けられている。
【００５０】
なお、セレクト機構５００は、たとえばスロットマシン１での回胴装置７００の各メインリール７０１，７０２，７０３の回転中やリプレイ入賞時等でのメダルの受付不可時に、メダル投入部６から投入された後述のメダルをガイド部材５０２側に振り分けるようになっている。そして、ガイド部材５０２側に振り分けられたメダルはメダル排出口１２側から排出されるようになっている。
【００５１】
図３及び図４は、上述した回胴装置７００の詳細を説明するための図である。ここで、図３は回胴装置７００の全体を示す斜視図であり、図４は図３の回胴装置７００を分解して示す斜視図である。
【００５２】
これらの図に示すように、回胴装置７００は、３個のメインリール７０１，７０２，７０３を枠体７１０内部に並設させてユニット化したものである。各メインリール７０１，７０２，７０３の外周面には、所定数（たとえば２１個）の図柄が付されている。ここで、その図柄には、チェリー、ベル、プラム等の子役を表すものや、７等のビックボーナス等を表すもの等があるが、ここでは説明の都合上、その図柄を全て７で表している。
また、各メインリール７０１，７０２，７０３は、リング部７０４を中心に放射状に延在する複数本のアーム部７０５によって一体的に形成されている。
【００５３】
枠体７１０には、上述した筐体２の内部に取り付けられている台座５２４に対し引き出し及び押し戻し自在に載置される載置板７１１と、この載置板７１１の両側に取り付けられた側板７１２，７１３と、これらの側板７１２，７１３の上端に取り付けられた天板７１４とが設けられている。
【００５４】
また、載置板７１１及び天板７１４には、各メインリール７０１，７０２，７０３を回転可能に取り付ける板状のユニット板７２１，７２２，７２３がボルト７２４を介して取り付けられる。また、ユニット板７２１，７２２，７２３のうち、ユニット板７２１，７２３には後述の演出表示部７２６ａ，７２６ｂを有する目隠し部材７２５ａ，７２５ｂが取り付けられている。
【００５５】
なお、以下では、これらのユニット板７２１，７２２，７２３にメインリール７０１，７０２，７０３が取り付けられているものを、リール部ユニット７０１Ａ，７０２Ａ，７０３Ａという。
【００５６】
図５〜図１０は、上述したリール部ユニット７０３Ａの詳細を示す図である。なお、以下に示す図において、各リール部ユニット７０１Ａ，７０２Ａ，７０３Ａの構成がほぼ同じであるため、右側に位置するリール部ユニット７０３Ａを代表させて説明するものとする。
【００５７】
すなわち、以下に説明する各メインリール７０１，７０３を往復動させる後述のリール移動機構部７４０と後述の演出表示部７２６ａ，７２６ｂとは、両サイドのリール部ユニット７０１Ａ，７０３Ａのユニット板７２１，７２３に設けられているが、中央のリール部ユニット７０２Ａのユニット板７２２には設けられておらず、この点でのみ両サイドのリール部ユニット７０１Ａ，７０３Ａと中央のリール部ユニット７０２Ａとの構成が相違している。なお、後述のリール移動機構部７４０及び演出表示部７２６ａ，７２６ｂは、必要に応じて中央のリール部ユニット７０２Ａのユニット板７２２に設けてもよいことは勿論である。
【００５８】
ここで、図５は図４に示したリール部ユニット７０３Ａに組み込まれている機構部品等を分解して示す斜視図であり、図６は図５のリール部ユニット７０３Ａに組み込まれているメインリール７０３を往復動させるためのリール移動機構部を分解して示す斜視図であり、図７は図５のリール部ユニット７０３Ａに組み込まれているメインリール７０３を回転させるためのリール駆動機構部を分解して示す斜視図であり、図８は図５のリール部ユニット７０３Ａを上方から見た場合を示す平面図であり、図９及び図１０は図８のリール部ユニット７０３Ａを背面側から見た場合の断面図である。
【００５９】
まず、図５に示すように、リール部ユニット７０３Ａのユニット板７２３には、目隠し部材７２５ｂと、照明部７３０と、リール移動手段としてのリール移動機構部７４０と、リール駆動手段としてのリール回転機構部７５０とが取り付けられるようになっている。
【００６０】
ここで、回胴装置７００は、リール移動手段としてのリール移動機構部７４０と、リール駆動手段としてのリール回転機構部７５０と、後述の演出表示手段としての演出表示部７２６ｂ（演出表示部７２６ａ）とを備えて構成されている。
【００６１】
目隠し部材７２５ｂには、右寄り、すなわちメインリール７０３がリール移動機構部７４０による作用を受けずに定位置にあるとき、メインリール７０３によって隠れる個所に文字や画像等の情報を表示する演出表示部７２６ｂが設けられている。ここで、演出表示部７２６ｂ（演出表示部７２６ａ）は、演出表示手段を構成している。
【００６２】
この演出表示部７２６ｂは、ゲームの期待度等の演出モードに移行し、メインリール７０３がリール移動機構部７４０により押し出されて、遊技者に見えるように現れたとき、たとえばゲームの期待度等を文字や画像等によって表示するものである。なお、文字や画像等による表示は、メインリール７０３の移動によって現れたときに、瞬間的に行ってもよいし、メインリール７０３が定位置に戻されるまで継続して行われるようにしてもよい。
【００６３】
なお、たとえばゲームの期待度等を表示する場合は、メインリール７０３の移動によって演出表示部７２６ｂが現れたときに、必ずしも文字や画像等の情報が表示されるものではなく、何も表示しないようにすることで、ゲームの期待度が低いというような演出も可能である。
【００６４】
また、ゲームの期待度以外に、たとえば特定条件下でリプレイの確率が大幅にアップし、ほとんどメダルが減らなくなるようないわゆるリプレイタイム（ＲＴ）の演出が行われる場合は、メインリール７０３の移動によって演出表示部７２６ｂが現れたときに、その演出表示部７２６ｂにリプレイタイム（ＲＴ）の残りゲーム数等が表示されるようにしてもよい。
【００６５】
照明部７３０には、メインリール７０３の背面側からメインリール７０３の３コマ分の図柄を照射するＬＥＤ７３１〜７３３が設けられている。これらのＬＥＤ７３１〜７３３は、所定の演出に応じて点灯又は点滅するものである。
【００６６】
リール移動機構部７４０は、図５及び図６に示すように、基板７４１ｃの両側に側片７４１ａ，７４１ｂが並設されたコ字形状のブラケット７４１を有している。基板７４１ｃには、ユニット板７２３の突起７２３ａに係止される係止孔７４１ｄと、ユニット板７２３のねじ孔７２３ｂに挿通される図示しないねじによって取り付けられる取付孔７４１ｅとが設けられている。
【００６７】
また、これらの側片７４１ａ，７４１ｂの間には、補強軸７４１ｃと後述のクランクプレート７４４を回動自在に支持するために孔７４１ｆに装着される枢軸７４１ｄとが取り付けられるようになっている。また、下方の側片７４１ｂの内側には、メインリール７０３を移動させる場合に駆動される駆動軸７４２ａを有する移動用モータ７４２がねじ７４２ｂによって取り付けられるようになっている。
【００６８】
移動用モータ７４２の駆動軸７４２ａは、下方の側片７４１ｂの切欠部７４１ｅから下方に突出するように配置され、その先端にカム部材７４３の上面側の取付部７４３ａが取り付けられている。カム部材７４３の下面側には、カム突起７４３ｂが取り付けられている。このカム突起７４３ｂは、後述のクランクプレート７４４の係合孔７４５ｇに係合し、移動用モータ７４２の駆動力を受けて係合孔７４５ｇを介しクランクプレート７４４を回動させるようになっている。ここで、クランクプレート７４４は回転リール移動手段を構成している。
【００６９】
すなわち、図６において、カム部材７４３が反時計方向に回転すると、カム突起７４３ｂが後述のクランクプレート７４４の係合孔７４５ｇ内を移動しつつ、後述のクランクプレート７４４のクランプ片７４５ａ及びクランプ片７４５ｂの取付孔７４５ｄ，７４５ｆを有する側を押し出すようになっている。これに対し、カム部材７４３が時計方向に回転すると、カム突起７４３ｂが後述のクランクプレート７４４の係合孔７４５ｇ内を移動しつつ、後述のクランクプレート７４４のクランプ片７４５ａ及びクランプ片７４５ｂの取付孔７４５ｄ，７４５ｆを有する側を引き込むようになっている。これにより、上述した両側のメインリール７０１，７０３が中央のメインリール７０２に対して離されたり近づけられたりするような往復動作が行われるようになっている。
【００７０】
クランクプレート７４４の基板７４４ａの両側には、両端に取付孔７４５ｃ，７４５ｄを有するクランプ片７４５ａと、両端に取付孔７４５ｅ，７４５ｆを有し、中程に係合孔７４５ｇを有するクランプ片７４５ｂとが並設されている。
【００７１】
ここで、クランプ片７４５ａ及びクランプ片７４５ｂの取付孔７４５ｃ，７４５ｅは、上述した枢軸７４１ｄに回動自在に係合されるようになっている。クランプ片７４５ａ及びクランプ片７４５ｂの取付孔７４５ｄ，７４５ｆには、ねじ７６６を介してローラ７６６ａが回転自在に取り付けられている。
【００７２】
ここで、ローラ７６６ａとしては、たとえば耐久性、耐衝撃性、耐摩耗性及び耐潤性等に優れたポリアセタール樹脂製とすることができるが、耐久性、耐衝撃性、耐摩耗性及び耐潤性等に優れたものであれば他の部材を採用してもよい。
【００７３】
これらのローラ７６６ａは、後述の図８に示すように、メインリール７０３の移動が行われないとき、リール回転力伝達部材７５５の段差部７５５Ａに当接しないが、カム突起７４３ｂの作用によってクランクプレート７４４が回動すると、リール回転力伝達部材７５５の段差部７５５Ａに当接しそのリール回転力伝達部材７５５をシャフト７５１ａに沿って移動させる。これにより、メインリール７０３はシャフト７５１ａに沿ってユニット板７２３から離れる方向、すなわち中央のメインリール７０２から離れる方向に移動する。
【００７４】
この状態で、後述のように、ステッピングモータ７５１の駆動によってリール回転力伝達部材７５５が回転するとき、クランクプレート７４４のローラ７６６ａが回転するため、リール回転力伝達部材７５５による回転が妨げられないようになっている。
【００７５】
また、図６において、上述したブラケット７４１側の孔７４１ｆとクランプ片７４５ｂの取付孔７４５ｅとの間には、枢軸７４１ｄの下端部に装着され、ブラケット７４１側の孔７４１ｆとクランプ片７４５ｂの取付孔７４５ｅとの間の隙間を調整する調整筒部材７６６ｂが取り付けられるようになっている。
【００７６】
リール回転機構部７５０には、図７に示すように、シャフト７５１ａを有するステッピングモータ７５１が設けられている。このシャフト７５１ａは、後述の連結部材７５４及びリール回転力伝達部材７５５を介してメインリール７０３に回転力を伝達するものである。また、シャフト７５１ａの中程には、後述の連結部材７５４に回転力を伝達する突出ピン７５１ｂが設けられている。この突出ピン７５１ｂによる作用については後述する。
【００７７】
また、シャフト７５１ａには、ねじ７５２ａによって回転子７５２が取り付けられるようになっている。この回転子７５２は、シャフト７５１ａの回転に伴って回転し、後述のフォトセンサ７５３ｃを通過するものであり、その回転子７５２がフォトセンサ７５３ｃを通過することで、メインリール７０３の回転位置（図柄の位置等）が検出されるようになっている。すなわち、その回転子７５２がフォトセンサ７５３ｃを通過したタイミングを基準とし、ステッピングモータ７５１に与えられるパルス信号をカウントすることで、メインリール７０３の回転位置（図柄の位置等）が検出される。
【００７８】
また、ステッピングモータ７５１の上面には、ねじ孔７５１ｃにねじ７５３ａを介して取付片７５３ｂを有するセンサ取付部材７５３が取り付けられるようになっている。取付片７５３ｂには、透過型のフォトセンサ７５３ｃがねじ７５３ｄによって取り付けられるようになっている。なお、ここでは透過型のフォトセンサ７５３ｃを用いているが、これに限らず、反射型のフォトセンサを用いてもよい。
【００７９】
また、シャフト７５１ａには、連結部材７５４が取り付けられるようになっている。この連結部材７５４は、図９及び図１０に示すように、リール回転力伝達部材７５５の嵌合孔７５５ａに嵌め込まれてリール回転力伝達部材７５５に連結されるものである。
【００８０】
また、連結部材７５４には、図７に示すように、長溝７５４ｃが設けられている。この長溝７５４ｃには、上述したシャフト７５１ａの突出ピン７５１ｂが摺動自在に嵌り込まれるようになっている。これにより、上述したクランクプレート７４４の回動に伴い、連結部材７５４及びリール回転力伝達部材７５５がシャフト７５１ａに沿って押し出されるとき、シャフト７５１ａの突出ピン７５１ｂが連結部材７５４の長溝７５４ｃ内に位置しているため、連結部材７５４及びリール回転力伝達部材７５５の移動が妨げられないようになっている。
【００８１】
また、ステッピングモータ７５１の駆動によりシャフト７５１ａが回転するとき、そのシャフト７５１ａの突出ピン７５１ｂが連結部材７５４の長溝７５４ｃの側面に当接し、連結部材７５４を介してリール回転力伝達部材７５５に回転力が伝達されることで、メインリール７０３が回転するようになっている。
【００８２】
また、リール回転力伝達部材７５５には、図５に示したメインリール７０３のリング部７０４の内側に取り付けられるフランジ７５５ｂと、中空のボス７５６を遊嵌させる遊嵌孔７５５ｃと、スプリング７５７の一端を係止する後述の図９及び図１０に示す係止段部７５５ｄと、シャフト７５１ａを挿通させる挿通孔７５５ｅとが設けられている。
【００８３】
ここで、連結部材７５４、リール回転力伝達部材７５５、ボス７５６、スプリング７５７等によって回転力伝達手段が構成されている。また、スプリング７５７は、弾性手段を構成している。
【００８４】
また、図９に示すように、ボス７５６の内側にスプリング７５７が装填され、ボス７５６のねじ孔７５６ａから装着されるねじ７５８がシャフト７５１ａの先端に螺着されることで、ボス７５６がシャフト７５１ａの先端に取り付けられる。
【００８５】
ここで、図９に示すように、メインリール７０３が移動しない場合、連結部材７５４の長溝７５４ｃの一端側の係止段部７５４ａにシャフト７５１ａの突出ピン７５１ｂが係止され、メインリール７０３のユニット板７２３に近づく方向への移動が規制される。
【００８６】
これに対し、図１０に示すように、移動用モータ７４２が駆動し、カム部材７４３の作用によるクランクプレート７４４の回動により、上述したクランクプレート７４４のローラ７６６ａがリール回転力伝達部材７５５の段差部７５５Ａに当接してリール回転力伝達部材７５５が押し出されると、リール回転力伝達部材７５５に取り付けられているメインリール７０３がユニット板７２３から離れる方向、すなわち中央のメインリール７０２から離れる方向に移動する。
【００８７】
メインリール７０３が所定位置まで押し出されると、連結部材７５４の長溝７５４ｃの他端側の係止段部７５４ｂにシャフト７５１ａの突出ピン７５１ｂが係止され、メインリール７０３のユニット板７２３から離れる方向、すなわち中央のメインリール７０２から離れる方向への移動が規制される。
【００８８】
このとき、リール回転力伝達部材７５５の移動に伴い、リール回転力伝達部材７５５の係止段部７５５ｄに一端が係止されているスプリング７５７の付勢力に抗してボス７５６がリール回転力伝達部材７５５の遊嵌孔７５５ｃに収まる。この状態では、スプリング７５７が圧縮されたままとされる。
【００８９】
また、この状態で、ステッピングモータ７５１の駆動によりシャフト７５１ａが回転するとき、上記同様に、そのシャフト７５１ａの突出ピン７５１ｂが連結部材７５４の長溝７５４ｃの側面に当接し、連結部材７５４を介してリール回転力伝達部材７５５に回転力が伝達されることで、メインリール７０３が回転する。
【００９０】
このとき、クランクプレート７４４のローラ７６６ａがリール回転力伝達部材７５５の段差部７５５Ａに当接したままとなっているが、そのローラ７６６ａが回転することで、リール回転力伝達部材７５５が回転することから、メインリール７０３の回転が行われる。また、このとき、上述した演出表示部７２６ｂが現れて文字や画像等の情報が表示される。
【００９１】
一方、移動用モータ７４２が逆駆動し、カム部材７４３の作用によるクランクプレート７４４の逆方向への回動によりリール回転力伝達部材７５５が引き戻されると、クランクプレート７４４のローラ７６６ａがリール回転力伝達部材７５５の段差部７５５Ａから離れる方向に移動する。このとき、ボス７５６内の圧縮されたままとなっているスプリング７５７の反発力がリール回転力伝達部材７５５の上述した係止段部７５５ｄに作用し、リール回転力伝達部材７５５がシャフト７５１ａに沿って押し戻される。
【００９２】
これに伴い、メインリール７０３がユニット板７２３に近づく方向、すなわち中央のメインリール７０２に近づく方向に押し戻される。メインリール７０３が所定位置まで押し戻されると、連結部材７５４の長溝７５４ｃの一端側の係止段部７５４ａにシャフト７５１ａの突出ピン７５１ｂが係止され、ユニット板７２３に近づく方向への移動が規制される。
【００９３】
このように、メインリール７０３のユニット板７２３に近づく方向、すなわち中央のメインリール７０２に近づく方向への押し戻しは、スプリング７５７の反発力によって行われるため、メインリール７０３の移動が円滑に行われる。
【００９４】
よって、たとえばカム部材７４３の作用によるクランクプレート７４４の回動により、そのローラ７６６ａによってリール回転力伝達部材７５５を介しメインリール７０３をユニット板７２３から離れる方向、すなわち中央のメインリール７０２から離れる方向に移動させ、直ちにカム部材７４３の逆方向への作用によりクランクプレート７４４を戻し、スプリング７５７の反発力によってメインリール７０３を定位置に戻すような瞬間的な往復動を行わせるようにすることも可能である。
この場合、上述した演出表示部７２６ｂは一瞬だけ現れることになり、その瞬間に文字や画像等の情報が表示されるようにすれば、遊技者に対する注目度が高められる。
【００９５】
図１１は、スロットマシン１に設けられている制御システムを説明するためのブロック図である。制御システムは、主として主制御基板３００、サブ制御基板４００、回胴装置基板４２０、中央表示制御基板４１０、電源装置制御基板４３０、外部集中端子基板４４０を備え、それぞれが配線ケーブルによって接続されている。
【００９６】
主制御基板３００は、ＣＰＵ（Ｃｅｎｔｒａｌ  Ｐｒｏｃｅｓｓｉｎｇ  Ｕｎｉｔ）３０１、半導体メモリであるＲＯＭ（Ｒｅａｄ  Ｏｎｌｙ  Ｍｅｍｏｒｙ）３０２、ＲＡＭ（Ｒａｎｄｏｍ  Ａｃｃｅｓｓ  Ｍｅｍｏｒｙ）３０３等を備えている。
【００９７】
主制御基板３００のＣＰＵ３０１は、ＲＯＭ３０２に予め記憶されているシステムプログラムやスロットマシンゲーム用のプログラム等を読み込み、ゲームの進行に合わせて、サブ制御基板４００、回胴装置基板４２０、中央表示制御基板４１０、電源装置制御基板４３０等に対する分散制御を行う。
【００９８】
ここで、ＣＰＵ３０１による主な制御としては、中央表示制御基板４１０からの上述したスタートレバー８の操作に応じた出力信号を受けると、各メインリール７０１，７０２，７０３を回転させるように回胴装置基板４２０を制御することである。また、中央表示制御基板４１０からの上述したストップボタン９ａ，９ｂ，９ｃの操作に応じた出力信号を受けると、その操作に応じたいずれかのメインリール７０１，７０２，７０３を停止させるように回胴装置基板４２０を制御することである。
【００９９】
また、ＣＰＵ３０１による主な制御としては、メダルの投入（又はベットボタン７によるベット）とスタートレバー８の操作を条件として抽選を行い、その抽選結果が当選であり、かつ予め設定された有効ライン上にストップボタン９ａ，９ｂ，９ｃの操作でその当選した図柄が停止したことを条件として所定枚数のメダルが払い出されるように、電源装置制御基板４３０を介してホッパ装置６００を制御することである。
【０１００】
また、ＣＰＵ３０１による主な制御としては、上述した抽選等により、たとえば遊技者に有利な特別遊技状態（ボーナスゲーム、レギュラーボーナス等）が発生したり、ゲームの期待度等の演出モードに移行したりすると、リール移動機構部７４０によってメインリール７０１及び／又は７０３を上述したシャフト７５１ａに沿って中央のメインリール７０２から離れる方向、又は中央のメインリール７０２に近づく方向に移動させるように回胴装置基板４２０を制御することである。
【０１０１】
また、ＣＰＵ３０１による主な制御としては、上述した演出モードに移行したりすると、メインリール７０１及び／又は７０３の移動の指示に併せて、演出表示部７２６ａ，７２６ｂによる文字や画像等の情報の表示を行わせるように回胴装置基板４２０を制御することである。
【０１０２】
サブ制御基板４００には、演出用ランプ１０４〜１０８と、サイドランプ５ａ，５ｂと、スピーカ１３ａ，１４ａ，１０９ａ，１１０ａと、表示部１０１とが接続されている。そして、サブ制御基板４００は、主制御基板３００のＣＰＵ３０１からのゲームの進行に合わせた制御に基づき、上述した演出用ランプ１０４〜１０８を点滅又は点灯させたり、サイドランプ５ａ，５ｂを点滅又は点灯させたり、スピーカ１３ａ，１４ａ，１０９ａ，１１０ａから効果音等を発生させたり、表示部１０１での所定の演出映像等の表示を行わせたりする。これにより、遊技者の視覚と聴覚に訴える演出を行うことができる。
【０１０３】
回胴装置基板４２０には、上述したメインリール７０１，７０２，７０３を回転駆動するステッピングモータ７５１と、各メインリール７０１，７０２，７０３のそれぞれの回転位置を検出する、たとえばフォトセンサ７５３ｃと、上述したメインリール７０１及び／又は７０３を上述したシャフト７５１ａに沿って中央のメインリール７０２から離れる方向、又は中央のメインリール７０２に近づく方向に移動させるように移動させるリール移動機構部７４０と、上述した目隠し部材７２５ａ，７２５ａに設けられている演出表示部７２６ａ，７２６ｂとが接続されている。
【０１０４】
ここで、ステッピングモータ７５１及びフォトセンサ７５３ｃは、各メインリール７０１，７０２，７０３に対応させて設けられているが、リール移動機構部７４０は上述したように、両端のメインリール７０１，７０３に対応させて設けられている。
【０１０５】
そして、回胴装置基板４２０により、それぞれのフォトセンサ７５３ｃからの検出信号と、それぞれのステッピングモータ７５１へ出力した駆動パルス信号のパルス数との情報に基づいて、メインリール７０１，７０２，７０３の回転と制動、及び停止の制御が適切に行われるようになっている。
【０１０６】
また、回胴装置基板４２０は、上述したスタートレバー８、ストップボタン９ａ，９ｂ，９ｃ等の操作に伴って、主制御基板３００からメインリール７０１，７０２，７０３のそれぞれの回転又は停止させるべき旨の制御信号が供給されると、それぞれのフォトセンサ７５３ｃからの検出信号を取り込みながら、各メインリール７０１，７０２，７０３の回転位置を適切に把握しつつ、それぞれのステッピングモータ７５１への駆動パルス信号を制御して各メインリール７０１，７０２，７０３の回転動作を制御する。
【０１０７】
また、回胴装置基板４２０は、主制御基板３００から演出開始の指示を受けると、上述したメインリール７０１及び／又は７０３を上述したシャフト７５１ａに沿って中央のメインリール７０２から離れる方向、又は中央のメインリール７０２に近づく方向に移動させるように移動させるようにリール移動機構部７４０を制御する。
【０１０８】
また、回胴装置基板４２０は、主制御基板３００から演出開始の指示を受けると、上述した演出表示部７２６ａ，７２６ｂに対し文字や画像等の情報を表示させる。
【０１０９】
ここで、リール移動機構部７４０の制御にあっては、各メインリール７０１，７０２，７０３の回転開始前、又は回転停止後の遊技待機中に限られるという制約があるため、この制約に則って行われることになる。
【０１１０】
よって、演出表示部７２６ａ，７２６ｂによる演出表示は、遊技待機中に行われることになる。ただし、メインリール７０１及び／又は７０３が既に中央のメインリール７０２から離れる方向に移動している場合には、この状態での遊技の開始が可能であるため、遊技中であっても演出表示部７２６ａ，７２６ｂによる演出表示が可能となる。
【０１１１】
なお、このような制約が無い場合は、遊戯中である、各メインリール７０１，７０２，７０３の回転中に上述したメインリール７０１及び／又は７０３が上述したシャフト７５１ａに沿って中央のメインリール７０２から離れる方向、又は中央のメインリール７０２に近づく方向に移動させるようにしてもよい。
【０１１２】
中央表示制御基板４１０には、上述したベットボタン７、スタートレバー８、ストップボタン９ａ，９ｂ，９ｃ、設定ボタン４１１等が接続されている。中央表示制御基板４１０は、これらベットボタン７、スタートレバー８及びストップボタン９ａ，９ｂ，９ｃからの出力信号を主制御基板３００へ転送する中継基板として機能する。また、中央表示制御基板４１０は、主制御基板３００から上述した設定モードの制御を受け取ると、払出枚数表示器２３０の表示内容を設定ボタン４１１の操作に応じて表示させるように制御する。
【０１１３】
電源装置制御基板４３０には、ホッパ装置６００と、電源装置５３０とが接続されている。電源装置制御基板４３０は、電源装置５３０で発生される各種電源電圧をホッパ装置６００等の各所に配電する配電回路が形成されており、かかる配電回路からスロットマシン１の動作に必要なシステム電源を供給する。また、電源装置制御基板４３０は、主制御基板３００からメダルの払い出しをすべき旨の指令を受けると、ホッパ装置６００を制御してメダルの払い出しを行わせる。
また、電源装置制御基板４３０は、電源装置５３０の上述した設定キースイッチ５３４がオンされると、主制御基板３００に設定モードとなったことを通知する。
【０１１４】
次に、回胴装置７００の動作について説明する。
【０１１５】
まず、図１２に示すように、通常の状態では、回胴装置７００の各リール部ユニット７０１Ａ，７０２Ａ，７０３Ａのメインリール７０１，７０２，７０３が定位置、すなわち左右のメインリール７０１，７０３が中央のメインリール７０２に寄った場所に位置している。この状態では、上述した目隠し部材７２５ａ，７２５ａに設けられている演出表示部７２６ａ，７２６ｂがメインリール７０１，７０３によって覆われているため、遊技者には見えないようになっている。
【０１１６】
この状態で、メダルの投入、あるいは既にクレジットしてあるメダルのベットボタン７の操作によるベットが行われた後、スタートレバー８が操作されると、主制御基板３００から回胴装置基板４２０への指示により、リール部ユニット７０１Ａ，７０２Ａ，７０３Ａのユニット板７２１，７２２，７２３に取り付けられている各ステッピングモータ７５１の駆動によって、各メインリール７０１，７０２，７０３が一斉に回転する。
【０１１７】
このような各メインリール７０１，７０２，７０３の回転に際しては、上述したように、ステッピングモータ７５１のシャフト７５１ａの突出ピン７５１ｂがリール回転力伝達部材７５５に連結される連結部材７５４の長溝７５４ｃの側面に当接し、連結部材７５４を介してリール回転力伝達部材７５５に回転力が伝達することで行われる。
【０１１８】
また、各メインリール７０１，７０２，７０３が回転した後、ストップボタン９ａ，９ｂ，９ｃを操作すると、中央表示制御基板４１０から主制御基板３００にいずれかのストップボタン９ａ，９ｂ，９ｃの操作に応じた信号が出力され、主制御基板３００から回胴装置基板４２０へいずれかのストップボタン９ａ，９ｂ，９ｃの操作に応じた停止を促す指示により、いずれかのメインリール７０１，７０２，７０３が停止される。
【０１１９】
ここで、メダルの投入、あるいは既にクレジットしてあるメダルのベットボタン７の操作によるベットとスタートレバー８の操作を条件とした抽選等により、たとえば遊技者に有利な特別遊技状態（ボーナスゲーム、レギュラーボーナス等）が発生したり、ゲームの期待度等の演出モードに移行したりすると、主制御基板３００から回胴装置基板４２０へ演出の指示が出される。
【０１２０】
このとき、回胴装置基板４２０により、回胴装置７００が制御されることで、リール部ユニット７０１Ａ及び／又は７０３Ａのメインリール７０１及び／又は７０３による上述したシャフト７５１ａに沿って中央のメインリール７０２から離れる方向に移動する（既に中央のメインリール７０２から離れている場合は中央のメインリール７０２に近づく方向に移動する）ような演出が行われる。
【０１２１】
ただし、このようなリール部ユニット７０１Ａ及び／又は７０３Ａのメインリール７０１及び／又は７０３による移動によっての演出は、上述したように、各メインリール７０１，７０２，７０３の回転開始前、又は回転停止後の遊技待機中に限られるという制約があるため、この制約に則って行われる。
【０１２２】
すなわち、たとえば左右のメインリール７０１，７０３のうち、たとえば右側のメインリール７０３の移動による演出が行われるとき、図６に示したリール部ユニット７０３Ａのユニット板７２３に取り付けられている移動用モータ７４２が駆動され、移動用モータ７４２の駆動軸７４２ａに取り付けられているカム部材７４３が一方向に回転すると、カム部材７４３のカム突起７４３ｂがクランクプレート７４４の係合孔７４５ｇを介してクランクプレート７４４を図９に示した状態から図１０に示した状態まで回動させる。
【０１２３】
このとき、図６及び図８に示したように、クランクプレート７４４のローラ７６６ａがリール回転力伝達部材７５５の段差部７５５Ａに当接してそのリール回転力伝達部材７５５をシャフト７５１ａに沿って押し出す。これに伴い、メインリール７０３が中央のメインリール７０２から離れる方向に移動する。
【０１２４】
この状態では、ボス７５６がリール回転力伝達部材７５５の遊嵌孔７５５ｃに収まることで、スプリング７５７が圧縮されることにより、リール回転力伝達部材７５５を押し戻そうとするスプリング７５７による反発力が作用するが、カム部材７４３のカム突起７４３ｂがクランクプレート７４４の係合孔７４５ｇを介してクランクプレート７４４をスプリング７５７の付勢力に抗し押し付けているため、スプリング７５７の反発力によってリール回転力伝達部材７５５が押し戻されないようになっている。
【０１２５】
ここで、たとえば右側のメインリール７０３のみが移動している状態で、メダルの投入、あるいは既にクレジットしてあるメダルのベットボタン７の操作によるベットが行われた後、スタートレバー８が操作されると、上記同様に、リール部ユニット７０１Ａ，７０２Ａ，７０３Ａのユニット板７２１，７２２，７２３に取り付けられている各ステッピングモータ７５１の駆動によって、各メインリール７０１，７０２，７０３が一斉に回転する。
【０１２６】
このとき、メインリール７０３に対応するクランクプレート７４４のローラ７６６ａがリール回転力伝達部材７５５の段差部７５５Ａに当接しているが、そのローラ７６６ａが回転することで、リール回転力伝達部材７５５の回転が妨げられないことから、ステッピングモータ７５１からの回転力がメインリール７０３に伝達され、メインリール７０３が何ら支障無く回転することができる。
【０１２７】
ここで、右側のメインリール７０３に加え、左側のメインリール７０１が同様にして中央のメインリール７０２から離れる方向にシャフト７５１ａに沿って押し出されると、図１３に示すように、両側のメインリール７０１，７０３が中央のメインリール７０２から離れる方向に移動することになる。
【０１２８】
また、たとえばこれらのメインリール７０１，７０３が中央のメインリール７０２から離れる方向に移動すると、これらのメインリール７０１，７０３によって隠れていた演出表示部７２６ａ，７２６ｂが現れることになる。
【０１２９】
ここで、ゲームの期待度等の演出モードに移行しているとすると、演出表示部７２６ａ，７２６ｂにはたとえばゲームの期待度等が文字や画像等によって表示される。ここで、たとえば両方の演出表示部７２６ａ，７２６ｂに文字や画像等が表示されたときの期待度は大で、いずれか一方の演出表示部７２６ａ，７２６ｂにのみ文字や画像等が表示されたときの期待度は中で、いずれの演出表示部７２６ａ，７２６ｂにも文字や画像等が表示されなかったときのゲームの期待度は小であるような演出が可能となる。
【０１３０】
また、この状態でゲームが進行されるときに、上述したたとえば特定条件下でリプレイの確率が大幅にアップし、ほとんどメダルが減らなくなるようないわゆるリプレイタイム（ＲＴ）の演出が行われる場合は、両方の演出表示部７２６ａ，７２６ｂ又はいずれか一方の演出表示部７２６ａ，７２６ｂにリプレイタイム（ＲＴ）の残りゲーム数等が表示されるような演出も可能である。
【０１３１】
また、各メインリール７０１，７０２，７０３の回転開始前、又は回転停止後の遊技待機中に、上述したように、カム部材７４３の作用によるクランクプレート７４４の回動により、そのローラ７６６ａによってリール回転力伝達部材７５５を介しメインリール７０１及び／又は７０３をたとえばユニット板７２１及び／又は７２３から離れる方向、すなわち中央のメインリール７０２から離れる方向に移動させ、直ちにカム部材７４３の逆方向への作用によりクランクプレート７４４を戻し、スプリング７５７の反発力によってメインリール７０１及び／又は７０３を定位置に戻すような瞬間的な往復動が行われて、演出表示部７２６ａ及び／又は７２６ｂが瞬間的に現れたとき、その演出表示部７２６ａ及び／又は７２６ｂにゲームの期待度等の演出表示が行われるようにすることも可能である。
【０１３２】
当然に、メインリール７０１及び／又は７０３が既に中央のメインリール７０２から離れた位置にあって、その離れた位置から定位置に戻され、さらにその定位置から離れた位置に押し出され瞬間に現れる演出表示部７２６ａ及び／又は７２６ｂに、ゲームの期待度等の演出表示が行われるようにすることも可能である。
【０１３３】
このような両側のメインリール７０１，７０３のシャフト７５１ａに沿っての移動に加え、演出表示部７２６ａ，７２６ｂが出現するような演出方法は極めて斬新であり、たとえばゲームの期待度の演出に用いた場合には、遊技者により多くの期待感や興味等を与えることができる。
【０１３４】
なお、左右のメインリール７０１，７０３の中央のメインリール７０２から離れる方向への移動は、両者を同時に行ってもよいし、いずれか一方の移動を終えた後に他方を移動させるようにしてもよいし、いずれか一方のみを移動させるようにしてもよい。そして、これらの移動に伴い、演出表示部７２６ａ，７２６ｂが出現するので、いずれかの移動に併せて演出表示部７２６ａ，７２６ｂによる演出表示が行われることになる。
【０１３５】
このようなメインリール７０１，７０３の移動と演出表示部７２６ａ，７２６ｂによる演出表示とを組み合わせることにより、たとえばメインリール７０１，７０３が同時に移動して演出表示部７２６ａ，７２６ｂによる演出表示が行われたときのゲームの期待度は大で、いずれか一方の移動を終えた後に他方が移動して演出表示部７２６ａ又は７２６ｂによる演出表示が行われたときのゲームの期待度は中で、いずれか一方のみが移動して演出表示部７２６ａ又は７２６ｂによる演出表示が行われたときのゲームの期待度は小であるような演出が可能となる。
【０１３６】
一方、上述した移動用モータ７４２が逆駆動され、移動用モータ７４２の駆動軸７４２ａに取り付けられているカム部材７４３が他方向に回転すると、カム部材７４３のカム突起７４３ｂがクランクプレート７４４の係合孔７４５ｇを介してクランクプレート７４４を図１０に示した状態から図９に示した状態まで回動させる。
【０１３７】
このとき、カム部材７４３の作用によるクランクプレート７４４の逆方向への回動により、クランクプレート７４４のローラ７６６ａがリール回転力伝達部材７５５の段差部７５５Ａから離れる方向に移動する。このとき、上述したように、ボス７５６内の圧縮されたままとなっているスプリング７５７の反発力がリール回転力伝達部材７５５の上述した係止段部７５５ｄに作用し、リール回転力伝達部材７５５がシャフト７５１ａに沿って押し戻される。
【０１３８】
これに伴い、メインリール７０３がユニット板７２３に近づく方向、すなわち中央のメインリール７０２に近づく方向に押し戻される。このように、メインリール７０３のユニット板７２３に近づく方向、すなわち中央のメインリール７０２に近づく方向である定位置への押し戻しは、スプリング７５７の反発力によって行われるため、メインリール７０３の移動が円滑に行われる。また、メインリール７０３がスプリング７５７の反発力により定位置に戻されることで、演出表示部７２６ｂを隠す動作も円滑に行われることになる。
【０１３９】
同様に、図１３のように、左端のメインリール７０１が中央のメインリール７０２から離れた位置にあって、この位置からクランクプレート７４４の回動に伴い左端のメインリール７０１が中央のメインリール７０２に近づく方向に引き戻される場合も、スプリング７５７の反発力によってメインリール７０１の移動が円滑に行われる。この場合も、メインリール７０１がスプリング７５７の反発力により定位置に戻されることで、演出表示部７２６ａを隠す動作も円滑に行われることになる。
【０１４０】
このようなメインリール７０１，７０３の中央のメインリール７０２に近づく方向への移動は、両者を同時に行ってもよいし、いずれか一方の移動を終えた後に他方を移動させるようにしてもよいし、いずれか一方のみを移動させるようにしてもよい。
【０１４１】
また、このようなメインリール７０１及び／又は７０３の中央のメインリール７０２に近づく方向への移動と、上述したメインリール７０１及び／又は７０３の中央のメインリール７０２から離れる方向への移動と、演出表示部７２６ａ，７２６ｂによる演出表示とを組み合わせ、たとえばゲームの期待度の演出に用いた場合には、複数の演出パターンによって遊技者により多くの期待感等を与えることができるばかりか、より多くの興味を与えることが可能となる。
【０１４２】
このように、本実施例では、複数の回転リールであるメインリール７０１，７０２，７０３が並設される方向に向けられるそれぞれのリール駆動手段としてのリール回転機構部７５０に設けられているステッピングモータ７５１のシャフト７５１ａ上にそれぞれのメインリール７０１，７０２，７０３の中心部を配置し、いずれかのリール移動手段としてのリール移動機構部７４０による移動力によって左右のメインリール７０１，７０３のいずれか一方又は両方をシャフト７５１ａに沿って移動させることで、メインリール７０１，７０３を個別に移動させるようにし、さらに個々のメインリール７０１，７０３の移動に伴い、メインリール７０１，７０３によって覆われる位置に設けられる演出表示手段としての演出表示部７２６ａ，７２６ｂが出現して演出表示が行われるようにした。
【０１４３】
このように、個々のメインリール７０１，７０３の移動はシャフト７５１ａに沿って円滑に行われることから、従来の複数の回転リールを組み込んだリールユニットの移動に比べ、素早い動きに対応させることができ、たとえば遊技待機中にメインリール７０１，７０３が移動してから演出表示手段としての演出表示部７２６ａ，７２６ｂが現れるまでの時間を大幅に短縮することができることから、遊技者は次の遊技に即座に進むことができ、メインリール７０１，７０３の移動による意外性に加え、新たな演出方法の実現により、遊技者への興味やゲーム性をさらに高めることが可能となる。
【０１４４】
また、個々のメインリール７０１，７０３を個別に移動させるようにすることで、従来の比較的重量のあるリールユニットの移動機構に比べて、遙かに軽量な回転リールを移動させる機構であればよいことから、移動機構の構成を簡単なものとすることができる。
【０１４５】
すなわち、リール移動機構部７４０は、移動用モータ７４２の駆動によって回転するカム部材７４３の作用によって回動するクランクプレート７４４を備えて構成されており、少なくともそのクランクプレート７４４の回動スペースがあればリール回転力伝達部材７５５を介してメインリール７０１，７０３を移動させることができ、しかもメインリール７０１，７０３の移動を既存のステッピングモータ７５１のシャフト７５１ａを用いて行うようにしているためである。
【０１４６】
また、リール回転力伝達部材７５５は、上述したボス７５６の内側に装填されているスプリング７５７の付勢力を受けて定位置に戻されるようになっているため、メインリール７０１，７０３を定位置に戻す機構も簡単なものとすることができる。
【０１４７】
このようにメインリール７０１，７０３を移動させる機構が簡素化されることで、既存の回胴装置７００の設計変更を必要最小限とすることができる。
また、このようにメインリール７０１，７０３を移動させる機構が簡素化されることで、回胴装置７００自体の大型化が避けられることから、既存のスロットマシン１の筐体２の寸法を変更しなくても、その筐体２への搭載を容易に行うことができる。
【０１４８】
なお、本実施例では、左右のメインリール７０１，７０３のみを移動させる場合について説明したが、上述したように、必要に応じて中央のメインリール７０２も移動させるようにしてもよい。
【０１４９】
この場合、たとえば上述した板状のユニット板７２２が図３に示したように、メインリール７０２の向かって右側に配置されている場合、そのメインリール７０２は向かって左側に移動されることになるが、左側のメインリール７０１を先に移動させることによってそのメインリール７０２の移動スペースを確保できる。
【０１５０】
また、本実施例では、目隠し部材７２５ａ，７２５ｂに演出表示部７２６ａ，７２６ｂを設けた場合について説明したが、この例に限らず、目隠し部材７２５ａ，７２５ｂの上下の空きスペースに演出表示部７２６ａ，７２６ｂを設けるようにしてもよい。
【０１５１】
また、目隠し部材７２５ａ，７２５ｂに演出表示部７２６ａ，７２６ｂを設ける場合は、演出表示部７２６ａ，７２６ｂを目隠し部材７２５ａ，７２５ｂの表面に取り付けるようにしてもよいし、あるいは演出表示部７２６ａ，７２６ｂを目隠し部材７２５ａ，７２５ｂと一体的に設けるようにしてもよい。
【０１５２】
また、本実施例では、リール移動機構部７４０を、カム部材７４３の作用によって回動するクランクプレート７４４を備えて構成したものとしているが、この例に限らず、リール移動機構部７４０をたとえばソレノイドで構成し、リール回転力伝達部材７５５を電磁作用によって移動させるようにすることも可能である。
【０１５３】
また、本実施例では、左右のメインリール７０１，７０３に対応させて演出表示部７２６ａ，７２６ｂを設けた場合について説明したが、図１３に示したように、左側のメインリール７０１を移動させれば、中央のメインリール７０２の移動スペースを確保できるので、中央のメインリール７０２によって覆われる位置に演出表示部を設けておいて、上述した演出表示部７２６ａ，７２６ｂと同様に、演出表示を行わせるようにしてもよい。
【産業上の利用可能性】
【０１５４】
スロットマシンに限らず、回転リールを備えたパチンコ機、ピンボールゲーム機、アレンジボールゲーム機、じゃん球といった他の遊技機にも適用可能である。
【図面の簡単な説明】
【０１５５】
【図１】本発明の回胴装置が適用される回胴式遊技装置の一例を示す正面図である。
【図２】図１の回胴式遊技装置の内部を示す正面図である。
【図３】図１の回胴装置の全体を示す斜視図である。
【図４】図３の回胴装置を分解して示す斜視図である。
【図５】図４のリール部ユニットに組み込まれている機構部品等を分解して示す斜視図である。
【図６】図５のリール部ユニットに組み込まれているメインリールを往復動させるためのリール移動機構部を分解して示す斜視図である。
【図７】図５のリール部ユニットに組み込まれているメインリールを回転させるためのリール駆動機構部を分解して示す斜視図である。
【図８】図５のリール部ユニットを上方から見た場合を示す平面図である。
【図９】図８のリール部ユニットを背面側から見た場合の断面図である。
【図１０】図８のリール部ユニットを背面側から見た場合の断面図である。
【図１１】図１の回胴式遊技装置に設けられている制御システムを説明するためのブロック図である。
【図１２】図１の回胴装置の動作について説明するための図である。
【図１３】図１の回胴装置の動作について説明するための図である。
【符号の説明】
【０１５６】
１  スロットマシン
２  筐体
３  前扉
３Ａ  上部パネル部
３Ｂ  中部パネル部
３Ｃ  操作卓部
３Ｄ  下部パネル部
５ａ，５ｂ  サイドランプ
６  メダル投入部
７  ベットボタン
８  スタートレバー
９ａ，９ｂ，９ｃ  ストップボタン
１１  受皿ユニット
１２  メダル排出口
１００  演出表示部
１０１  表示部
１０２  表示パネル
１０３  透明窓
１０４〜１０８  演出用ランプ
１０９，１１０  放音部
２００  メイン演出部
３００  主制御基板
４００  サブ制御基板
４１０  中央表示制御基板
４１１  設定ボタン
４２０  回胴装置基板
４３０  電源装置制御基板
４４０  外部集中端子基板
５００  セレクト機構
５０１  ホッパガイド部材
５０２  ガイド部材
５０３  払出ガイド部材
５２４  台座
５３０  電源装置
５４０  補助貯留部
６００  ホッパ装置
７００  回胴装置
７０１，７０２，７０３  メインリール（回転リール）
７０１Ａ，７０２Ａ，７０３Ａ  リール部ユニット
７０４  リング部
７０５  アーム部
７１０  枠体
７１１  載置板
７１２，７１３  側板
７１４  天板
７２１，７２２，７２３  ユニット板
７２５ａ，７２５ｂ  目隠し部材
７２６ａ，７２６ｂ  演出表示部（演出表示手段）
７３０  照明部
７４０  リール移動機構部（リール移動手段）
７４１  ブラケット
７４１ａ，７４１ｂ  側片
７４１ｄ  枢軸
７４２  移動用モータ
７４２ａ  駆動軸
７４３  カム部材
７４３ｂ  カム突起
７４４  クランクプレート（回転リール移動手段）
７４４ａ  基板
７４５ａ  クランプ片
７４５ｂ  クランプ片
７４５ｇ  係合孔
７５０  リール回転機構部（リール駆動手段）
７５１  ステッピングモータ
７５１ａ  シャフト
７５１ｂ  突出ピン
７５１ｃ  孔
７５２  回転子
７５３ｃ  フォトセンサ
７５４  連結部材（回転力伝達手段）
７５４ｃ  長溝
７５５  リール回転力伝達部材（回転力伝達手段）
７５５Ａ  段差部
７５５ａ  嵌合孔
７５５ｂ  フランジ
７５５ｃ  遊嵌孔
７５５ｄ  係止段部
７５６  ボス（回転力伝達手段）
７５７  スプリング（回転力伝達手段）
７６６ａ  ローラ
【図１】
0005146992.tif 000002
【図２】
0005146992.tif 000003
【図３】
0005146992.tif 000004
【図４】
0005146992.tif 000005
【図５】
0005146992.tif 000006
【図６】
0005146992.tif 000007
【図７】
0005146992.tif 000008
【図８】
0005146992.tif 000009
【図９】
0005146992.tif 000010
【図１０】
0005146992.tif 000011
【図１１】
0005146992.tif 000012
【図１２】
0005146992.tif 000013
【図１３】
0005146992.tif 000014